(57)【要約】【課題】  基礎コンクリートに埋設されるアンカーボルトが、基礎コンクリートが固まるまでの外部からの障害や衝撃によって位置ずれしないように固定する。【解決手段】  露出型柱脚のアンカーボルト設置後の鉄筋工事で、梁主筋受金物３と固定止め鋼板２との間に梁主筋７を挟み込み固定することにより、梁主筋受金物３とそこに配筋されている梁主筋７を含む基礎鉄筋が一体化し、かつ、梁主筋受金物３で受けている一体化した鉄筋の重量も利用できて、挟み込み固定する保持金具部位の固定度も増す。そのため、前記固定止め鋼板２と、アンカーボルトを固定しているテンプレートを鉄筋などの鋼材で繋ぎ固定することが可能になり、アンカーボルトの位置（ないし寸法）精度が保持される。また、前記固定止め鋼板２に設けたアンカーフック１にワイヤー等を掛けて牽引することで、鉄骨柱の歪み直しや位置決めを行うことができる。【選択図】図１
2007009411.tif 000002
【特許請求の範囲】
【請求項１】
鉄骨柱の下端部に溶接されたベースプレートと基礎コンクリートに埋設されたアンカーボルトとをナット締めして前記鉄骨柱を基礎コンクリート上に固定する際に、前記アンカーボルトの位置ずれを防止する位置保持用金具であって、
梁筋の構築に用いられる基礎鉄筋組立装置の梁主筋受金物との間に、梁主筋を挟み込み固定するとともに、前記アンカーボルトを固定するテンプレートとの繋ぎ固定が可能であることを特徴とするアンカーボルトの位置保持用金具。
【請求項２】
鉄骨柱の下端部に溶接されたベースプレートと基礎コンクリートに埋設されたアンカーボルトとをナット締めして前記鉄骨柱を基礎コンクリート上に固定する際に、前記アンカーボルトの位置ずれを防止する位置保持用金具であって、
梁主筋を受ける梁主筋受金物との間に、梁主筋を挟み込み固定するとともに、前記アンカーボルトを固定するテンプレートとの繋ぎ固定が可能であることを特徴とするアンカーボルトの位置保持用金具。
【請求項３】
前記梁主筋受金物との間に、前記梁主筋を挟み込む挟み込み手段と、
前記梁主筋受金物と挟み込み手段とを固定する固定手段と、
によって、前記梁主筋を挟み込み固定することを特徴とする請求項１又は２記載のアンカーボルトの位置保持用金具。
【請求項４】
前記固定手段が、
前記梁主筋受金物に固定されており、前記挟み込み手段を貫通するボルト手段，
前記挟み込み手段を貫通したボルト手段と螺合するナット手段，
を含むことを特徴とする請求項３記載のアンカーボルトの位置保持用金具。
【請求項５】
前記鉄骨柱を建てる時に使用する鉄骨柱建て方用アンカーフックを備えたことを特徴とする請求項１〜４のいずれかに記載のアンカーボルトの位置保持用金具。
【請求項６】
鉄骨柱の下端部に溶接されたベースプレートと基礎コンクリートに埋設されたアンカーボルトとをナット締めして前記鉄骨柱を基礎コンクリート上に固定する際に、前記アンカーボルトの位置ずれを防止する位置固定構造であって、
請求項１，３，４，５のいずれかに記載のアンカーボルトの位置保持用金具と、
該位置保持用金具との間に梁主筋を挟み込む梁主筋受金物を備えた基礎鉄筋組立装置と、
前記位置保持用金具と、前記アンカーボルトを固定しているテンプレートとを繋ぎ固定する繋ぎ手段と、
を備えたことを特徴とするアンカーボルトの位置固定構造。
【請求項７】
鉄骨柱の下端部に溶接されたベースプレートと基礎コンクリートに埋設されたアンカーボルトとをナット締めして前記鉄骨柱を基礎コンクリート上に固定する際に、前記アンカーボルトの位置ずれを防止する位置固定構造であって、
請求項２〜５のいずれかに記載のアンカーボルトの位置保持用金具と、
該位置保持用金具との間に梁主筋を挟み込む梁主筋受金物と、
前記位置保持用金具と、前記アンカーボルトを固定しているテンプレートとを繋ぎ固定する繋ぎ手段と、
を備えたことを特徴とするアンカーボルトの位置固定構造。
【請求項８】
請求項５記載のアンカーボルトの位置保持用金具の鉄骨柱建て方用アンカーフックを用いて牽引を行うことによって、鉄骨柱の歪み直し又は位置決めを行うことを特徴とする鉄骨柱の建て方方法。
【発明の詳細な説明】
【技術分野】
【０００１】
本発明は、露出型柱脚工法におけるアンカーボルトの位置保持用金具及び位置固定構造，それを利用した鉄骨柱の建て方方法に関するものである。
【背景技術】
【０００２】
露出型柱脚工法は、図１０に示すように、鉄骨柱１７の下端部に溶接されたベースプレート１９と、基礎コンクリート１４に埋設されたアンカーボルト１１をナット２０で締めることで、鉄骨柱１７を基礎コンクリート１４上に固定する方法である。前記ベースプレート１９とナット２０の間には、座金２１が設けられている。従来、前記アンカーボルト１１の設置工事は、図１１に一例を示すように、捨てコンクリート１０上の鉄骨芯の墨２４ａと、前記アンカーボルト１１を固定しているテンプレート１２上の鉄骨芯の罫書き線２４ｂを合わせ、下端側のアンカーフレーム２３を、ホールインアンカー９又は溶接にて捨てコンクリート１０及び杭等に固定させるのが一般的である。
【０００３】
また、図１５の一例のように、露出型柱脚工法の鉄骨柱１７の建て方時には、ワイヤーロープ１８を掛けてチェーンブロック等で牽引するための鉄骨柱建て方用アンカーフック２２（以下、アンカーフック２２という）が設置され、前記鉄骨柱１７の歪みとりや位置合わせのために使用される。しかしながら、アンカーフック２２は、建築構造的には特に設置の規約はなく、設置を忘れることがあったり、現場工程で改めて設置時期・形状を検討する必要があったりする。アンカーフック２２を設置していない場合には、図１４に示すように、露出型柱脚工法のアンカーボルト１１にワイヤーロープ１８を掛けて、鉄骨柱１７の建て方をされてしまうことがある。
【発明の開示】
【発明が解決しようとする課題】
【０００４】
しかしながら、以上のような背景技術による露出型柱脚工法のアンカーボルト設置では、アンカーボルト１１の設置後、図１２及び図１３に示すように、「鉄筋の配筋工事」「捨てコンクリート１０上にアンカーボルト１１上端部近傍まで打設される基礎コンクリート１４のための型枠工事」「基礎コンクリート１４の打設工事」等の外部からの衝撃や障害により、前記アンカーボルト１１が、当初の設置位置からずれてしまうことがある。位置ずれが許容範囲を超えてしまった場合には、前記図１０のような正常な露出型柱脚工法の形態が実現できなくなり、正規な位置へのベースプレート１９等の修正加工の手直し等が発生すると同時に、露出型柱脚工法の本来の性能が発揮できなくなってしまう。
【０００５】
また、図１５で示したアンカーフック２２は、上述した通り、特に設置の検討もなく、忘れられがちになりやすいため、前記図１４に示すように、アンカーボルト１１にワイヤーロープ１８を掛けてチェーンブロック等で牽引されてしまうことがある。その結果、アンカーボルト１１のネジ山を潰してしまい、ナット２０で締め付けて固定するという露出型柱脚工法の施工及び性能に対しての不都合が生じる。
【０００６】
本発明は、以上の点に着目したもので、その目的は、従来の露出型柱脚工法のアンカーボルト設置の方法で基礎コンクリート中に固定・埋設されるアンカーボルト１１の位置（ないし寸法）が、前記基礎コンクリートが固まるまでの諸々の外部からの障害や衝撃によってずれることなく、鉄骨柱の下端部に溶接されたベースプレート１９とともに正常な露出型柱脚工法の形態を実現することである。
【課題を解決するための手段】
【０００７】
前記目的を達成するため、本発明の位置保持用金具は、鉄骨柱の下端部に溶接されたベースプレートと基礎コンクリートに埋設されたアンカーボルトとをナット締めして前記鉄骨柱を基礎コンクリート上に固定する際に、前記アンカーボルトの位置ずれを防止する位置保持用金具であって、梁筋の構築に用いられる基礎鉄筋組立装置の梁主筋受金物との間に、梁主筋を挟み込み固定するとともに、前記アンカーボルトを固定するテンプレートとの繋ぎ固定が可能であることを特徴とする。
【０００８】
他の発明の位置保持用金具は、鉄骨柱の下端部に溶接されたベースプレートと基礎コンクリートに埋設されたアンカーボルトとをナット締めして前記鉄骨柱を基礎コンクリート上に固定する際に、前記アンカーボルトの位置ずれを防止する位置保持用金具であって、梁主筋を受ける梁主筋受金物との間に、梁主筋を挟み込み固定するとともに、前記アンカーボルトを固定するテンプレートとの繋ぎ固定が可能であることを特徴とする。
【０００９】
主要な形態の一つは、前記梁主筋受金物との間に、前記梁主筋を挟み込む挟み込み手段と、前記梁主筋受金物と挟み込み手段とを固定する固定手段と、によって、前記梁主筋を挟み込み固定することを特徴とする。他の形態は、前記固定手段が、前記梁主筋受金物に固定されており、前記挟み込み手段を貫通するボルト手段，前記挟み込み手段を貫通したボルト手段と螺合するナット手段，を含むことを特徴とする。更に他の形態は、前記鉄骨柱を建てる時に使用する鉄骨柱建て方用アンカーフックを備えたことを特徴とする。
【００１０】
本発明の位置固定構造は、鉄骨柱の下端部に溶接されたベースプレートと基礎コンクリートに埋設されたアンカーボルトとをナット締めして前記鉄骨柱を基礎コンクリート上に固定する際に、前記アンカーボルトの位置ずれを防止する位置固定構造であって、請求項１，３，４，５のいずれかに記載のアンカーボルトの位置保持用金具と、該位置保持用金具との間に梁主筋を挟み込む梁主筋受金物を備えた基礎鉄筋組立装置と、前記位置保持用金具と、前記アンカーボルトを固定しているテンプレートとを繋ぎ固定する繋ぎ手段，を備えたことを特徴とする。
【００１１】
他の発明の位置固定構造は、鉄骨柱の下端部に溶接されたベースプレートと基礎コンクリートに埋設されたアンカーボルトとをナット締めして前記鉄骨柱を基礎コンクリート上に固定する際に、前記アンカーボルトの位置ずれを防止する位置固定構造であって、請求項２〜５のいずれかに記載のアンカーボルトの位置保持用金具と、該位置保持用金具との間に梁主筋を挟み込む梁主筋受金物と、前記位置保持用金具と、前記アンカーボルトを固定しているテンプレートとを繋ぎ固定する繋ぎ手段と、を備えたことを特徴とする。
【００１２】
本発明の建て方方法は、請求項５記載のアンカーボルトの位置保持用金具の鉄骨柱建て方用アンカーフックを用いて牽引を行うことによって、鉄骨柱の歪み直し又は位置決めを行うことを特徴とする。本発明の前記及び他の目的，特徴，利点は、以下の詳細な説明及び添付図面から明瞭になろう。
【発明の効果】
【００１３】
本発明は、梁主筋を受ける梁主筋受金物との間に、梁主筋を挟み込んで固定する金具を、アンカーボルトを固定するテンプレートと繋ぎ固定することとしたので、外部からの衝撃などによるアンカーボルトの位置（ないし寸法）のずれを防止し、正常な露出型柱脚工法の形態を実現できるという効果がある。また、必要に応じて、位置保持用金具に、鉄骨柱を牽引するためのワイヤーロープなどを掛けるアンカーフックを設けることとしたので、鉄骨柱の歪み直しや位置決めを良好に行うことができる。
【発明を実施するための最良の形態】
【００１４】
以下、本発明を実施するための最良の形態を、実施例に基づいて詳細に説明する。
【実施例１】
【００１５】
本発明の実施例１を、図１，図２，図３，図４，図５，図６，図７，図８を参照しながら説明する。本実施例は、露出型柱脚工法で用いられるアンカーボルトの位置精度保持を行うものであって、図１は、基礎鉄筋組立装置の梁主筋受金物と本実施例の位置保持用金具の固定前の状態を示す斜視図である。図２及び図３は、前記位置保持用金具を設けた基礎鉄筋組立装置の全体構成を示す斜視図である。図４は、本実施例の位置保持用金具を利用して位置固定を行う様子を示す断面図であり、図５〜図７は、前記図４に対応する平面図である。また、図８は、前記位置保持用金具を利用した鉄骨柱の歪み直し又は位置決めの様子を示す図である。
【００１６】
まず、図２及び図３に示すように、基礎鉄筋組立装置８ａ又は８ｂは、アングルや丸パイプ，鉄筋等の鋼材を使用し、図１に示す梁主筋（上端主筋）７を配筋する高さまでスライドして、調整・固定して利用するものであって、梁の高さや梁主筋の配筋本数によって、図２に示すＴ字型と図３に示す門型で一応区別がされている。前記基礎鉄筋組立装置８ａ，８ｂは、下端部に設けられた鋼板やアングル等の鋼材を使用した鋼板架台１５やアングル架台フレーム１６が、捨てコンクリート１０上にホールインアンカー９や溶接などによって固定される。また、基礎鉄筋組立装置８ａ，８ｂの上端部には、梁主筋７をその上に載せて配筋に使用する梁主筋受金物３が設置されている。該梁主筋受金物３の受部に溶接などによって固定されたボルト４は、後述する固定止め鋼板２を梁主筋７に被せ、挟み込みワッシャー５及びナット６で固定する時に使用される。
【００１７】
前記固定止め鋼板２は、図１の拡大図に示すように、平板や鋼板，アングル等の鋼材にボルト４を貫通させるための穴を開けたもので、アングル，平板や鋼板，鉄筋等の鋼材を使用した梁主筋受金物３上に配筋された梁主筋７に被せて挟み込み固定止めする時に利用され、その上面には、鉄骨柱建て方用アンカーフック１（以下、アンカーフック１という）が溶接などによって固定されている。前記アンカーフック１は、鉄筋などの鋼材を曲げ加工したもので、鉄骨柱１７を建てる時に、歪み取りや位置合わせのためにワイヤーロープ１８などを引っ掛ける際に使用される。
【００１８】
次に、図４〜図８も参照して、本実施例の作用を説明する。図４は、前記図１で示した梁主筋７を挟み込み固定する固定止め鋼板２と、アンカーボルト１１を固定しているテンプレート１２を、鉄筋１３等の鋼材を使用して溶接などにより繋ぎ固定した状態を示す断面図である。図５〜図７は、前記図４の状態に対応する平面図であり、図５は、４箇所を固定した図，図６は３箇所を固定した図，図７は２箇所を固定した図である。
【００１９】
露出型柱脚のアンカーボルト設置後の鉄筋工事において、図１に示すように梁主筋受金物３に、アンカーフック１を設けた固定止め鋼板２を被せて梁主筋７を挟み込み、ナット６やその他の方法で締め付け固定する。このようにすると、基礎鉄筋組立装置８ａ，８ｂの梁主筋受金物３と、そこに配筋されている梁主筋７を含む地中梁鉄筋及び基礎鉄筋が一体化するとともに、梁主筋受金物３で受けているその一体化した鉄筋の重量をも利用できて、固定止め鋼板２，梁主筋受金物３，ボルト４，ワッシャー５，ナット６といった部位の固定度が増す。そして、図４〜図７に示すように、アンカーボルト１１を固定しているテンプレート１２と前記固定止め鋼板２を、鉄筋１３などの鋼材を使用して繋ぎ固定し、鉄筋工事，型枠工事，基礎コンクリート１４の打設などによる外部からの障害や衝撃があっても、基礎コンクリート１４が固まるまでアンカーボルト１１の位置（ないし寸法）を保持する。
【００２０】
また、前記鉄骨柱１７の歪み直しや、図１０のような鉄骨芯２４に合わせての位置決めを行うためには、図８に示すように、固定止め鋼板２に設けられたアンカーフック１に、ワイヤーロープ１８を引っ掛けて工事を行えばよい。このように固定止め鋼板２に設けられたアンカーフック１を用いることにより、上述した図１４に示す背景技術のように、設置しなかった場合や忘れた場合などに、アンカーボルト１１にワイヤーロープ１８を掛けて牽引することでネジ山が潰れるようなこともなくなり、ナット２０で締め付け固定する露出型柱脚工法の施工及び性能に対しての問題が生じなくなる。
【００２１】
このように、実施例１によれば、次のような効果がある。
(1)梁主筋受金物３に、アンカーフック１を設けた固定止め鋼板２を被せて梁主筋７を挟み込み、ナット６やその他の方法で締め付け固定することにより、基礎鉄筋組立装置８ａ，８ｂの梁主筋受金物３と、そこに配筋されている梁主筋７を含む地中梁鉄筋及び基礎鉄筋が一体するとともに、梁主筋受金物３で受けているその一体化した鉄筋の重量をも利用できて、固定止め鋼板２，梁主筋受金物３，ボルト４，ワッシャー５，ナット６といった部位の固定度が増す。このため、アンカーボルト１１を固定しているテンプレート１２と、前記固定止め鋼板２を鉄筋１３などの鋼材を使用して繋ぎ固定することが可能となり、露出型柱脚工法におけるアンカーボルト１１の位置（ないし寸法）精度を保持することができる。
(2)前記固定止め鋼板２に、アンカーフック１を設けることにより、該アンカーフック１にワイヤーロープ１８を掛けて牽引を行うことができるため、設置忘れなどがなく、また、アンカーボルト１１にワイヤーロープ１８を掛けずに、鉄骨柱１７の歪み直しや位置決めを行うことができる。更に、アンカーフック１を、基礎鉄筋組立装置８ａ又は８ｂと別に新たに設置する必要がないことから、建て方作業の効率向上を図ることができる。
【実施例２】
【００２２】
次に、図９を参照しながら、本発明の実施例２を説明する。図９は、本実施例によるアンカーボルトの位置固定の様子を示す断面図である。なお、上述した実施例１と同一ないし対応する構成要素には、同一の符号を用いることとする。本実施例は、梁筋の構築に用いられる基礎鉄筋組立装置を利用せずに構成した例であるが、それ以外の基本的構成は、上述した実施例１と同様である。すなわち、単独の梁主筋受金物３と固定止め鋼板２の間に梁主筋７を挟み込み、ボルト４，挟み込みワッシャー５，ナット６で固定する。なお、前記実施例１と同様に、固定止め鋼板２の上面には、鉄骨柱建て方法アンカーフック１が、必要に応じて設けられる。本実施例の基本的作用・効果は、上述した実施例１と同様である。
【００２３】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法，材料は一例であり、必要に応じて適宜変更可能である。
(2)梁主筋受金物３と固定止め鋼板２の固定機構も一例であり、同様の効果を奏するようにて適宜設計変更可能である。また、捨てコンクリート１０上にアンカーボルト１１や基礎鉄筋組立装置８ａ，８ｂを固定する方法も一例であり、公知の各種の手法によって固定してよい。
(3)前記図５〜図７に示した配置も一例であり、必要に応じて適宜変更してよい。
(4)前記実施例１は、基礎鉄筋組立装置８ａ，８ｂの梁主筋受金物３を利用することとしたが、実施例２のように、基礎鉄筋組立装置を用いることなく、梁主筋受金物３と固定止め鋼板２で梁主筋７を挟み込み固定するようにしてもよい。
【産業上の利用可能性】
【００２４】
本発明によれば、梁主筋を受ける梁主筋受金物との間に、梁主筋を挟み込んで固定する金具を、アンカーボルトを固定するテンプレートと繋ぎ固定することとしたので、露出型柱脚工法におけるアンカーボルトの位置精度保持の用途に適用できる。特に、必要に応じて、前記金具に鉄骨柱を牽引するワイヤーロープなどを掛けるためのアンカーフックを設けることとしたので、鉄骨柱の歪み直しや位置決めを行う場合にも好適である。
【図面の簡単な説明】
【００２５】
【図１】本発明の実施例１の位置保持用金具と梁主筋受金物の固定前の状態を示す斜視図である。
【図２】前記実施例１の位置保持用金具を設けた基礎鉄筋組立装置の全体構成の一例を示す斜視図である。
【図３】前記実施例１の位置保持用金具を設けた基礎鉄筋組立装置の全体構成の他の例を示す斜視図である。
【図４】前記実施例１の位置保持用金具を利用してアンカーボルトの位置固定を行う様子を示す断面図である。
【図５】前記図４に対応する平面図であり、４箇所で固定する状態を示す図である。
【図６】前記図４に対応する平面図であり、３箇所で固定する状態を示す図である。
【図７】前記図４に対応する平面図であり、２箇所で固定する状態を示す図である。
【図８】前記実施例１の位置保持用金具を利用した鉄骨柱の歪み直し又は位置決めの様子を示す断面図である。
【図９】本発明の実施例２によるアンカーボルトの位置固定の様子を示す断面図である。
【図１０】従来の技術を示す側面図である。
【図１１】従来の技術を示す斜視図である。
【図１２】従来の技術を示す断面図である。
【図１３】従来の技術を示す断面図である。
【図１４】従来の技術を示す断面図である
【図１５】従来の技術を示す側面図である。
【符号の説明】
【００２６】
１：鉄骨柱建て方用アンカーフック
２：固定止め鋼板
３：梁主筋受金物
４：ボルト
５：ワッシャー
６：ナット
７：梁主筋
８ａ：基礎鉄筋組立装置（Ｔ字型）
８ｂ：基礎鉄筋組立装置（門型）
９：ホールインアンカー
１０：捨てコンクリート
１１：アンカーボルト
１２：テンプレート
１３：鉄筋
１４：基礎コンクリート
１５：鋼板架台
１６：アングル架台フレーム
１７：鉄骨柱
１８：ワイヤーロープ
１９：ベースプレート
２０：ナット
２１：座金
２２：鉄骨柱建て方用アンカーフック
２３：アンカーフレーム
２４：鉄骨芯
２４ａ：鉄骨芯の墨
２４ｂ：鉄骨芯の罫書き線 
【図１】
2007009411.tif 000003
【図２】
2007009411.tif 000004
【図３】
2007009411.tif 000005
【図４】
2007009411.tif 000006
【図５】
2007009411.tif 000007
【図６】
2007009411.tif 000008
【図７】
2007009411.tif 000009
【図８】
2007009411.tif 000010
【図９】
2007009411.tif 000011
【図１０】
2007009411.tif 000012
【図１１】
2007009411.tif 000013
【図１２】
2007009411.tif 000014
【図１３】
2007009411.tif 000015
【図１４】
2007009411.tif 000016
【図１５】
2007009411.tif 000017